(57)【要約】【課題】配線抵抗や電源トランス等による電圧変動が生じても、常に安定した電力を遊技機に供給すること。【解決手段】島内の遊技機２０−１〜２０−ｎの一台ごとに、電源トランス３０−１〜３０−ｎと、電源トランスの二次側に接続した交流安定化電源４０−１〜４０−ｎと、をそれぞれ各台の近傍に設置する。これにより、商用電源１０から供給される交流電圧を電源トランス３０で定格の交流電圧に変圧して出力し、その定格の交流電圧を交流安定化電源４０にて整流して直流電圧に変換するとともに、直流電圧を交流電圧に変換して安定化した定電圧の電力を遊技機２０に供給する。【選択図】図１
2006247008.tif 000002
【特許請求の範囲】
【請求項１】
複数台の遊技機が隣接して設置された遊技機群を対象とし、商用電源から各遊技機に対して定格電圧の電力を供給する遊技機用定電圧電源システムにおいて、
上記商用電源から供給される交流電圧を上記遊技機に適合する定格の交流電圧に変圧して出力する電源トランスと、
上記電源トランスの二次側に接続され、上記電源トランスから出力された交流電圧を整流して直流電圧に変換し、その直流電圧を交流電圧に変換して安定化した定電圧の電力を上記遊技機に供給する交流安定化電源と、
を備え、
上記電源トランスと上記交流安定化電源が、上記遊技機の一台ごとに個別独立して各遊技機の近傍に設置されている
ことを特徴とする遊技機用定電圧電源システム。
【請求項２】
上記商用電源から上記電源トランスの一次側に供給される入力電圧がＡＣ２００Ｖの電圧に設定されていることを特徴とする請求項１に記載の遊技機用定電圧電源システム。
【発明の詳細な説明】
【技術分野】
【０００１】
本発明は、パチンコ台やスロット台などの遊技機が多数台設置された大型パチンコ店において、各遊技機に対して安定した定格の交流電圧を供給する遊技機用定電圧電源システムに関する。
【背景技術】
【０００２】
従来、このようなシステムとしては、本出願人が先に出願して特許された遊技機用定電圧システムが知られている（下記の特許文献１参照）。
【０００３】
【特許文献１】特許第２６７００２９号公報
【０００４】
図５は上記の遊技機用定電圧システムの概略構成を図示したものである。同図に示すように、この定電圧システムは、所定の台数の遊技機２−１、２−２、…、２−ｎが隣接して配置された遊技機群（以下、これを「島」と称す）を対象とし、各遊技機２に対して定格電圧の電力を供給するものである。同システムは、島ごとの商用電源１に接続された一台の交流安定化電源４と、遊技機２の設置台数に対応した個別の電源トランス３−１、３−２、…、３−ｎを備えて構成されている。各電源トランス３は、一次側巻線がそれぞれＡＣ１００Ｖ供給電導配線６を介して交流安定化電源４に接続されるとともに、二次側巻線がそれぞれＡＣ２４Ｖ供給電導配線７を介して各遊技機２に接続される。
【０００５】
商用電源１から供給されたＡＣ１００Ｖの交流電圧は、交流安定化電源４において整流安定化され、この交流安定化電源４から出力されたＡＣ１００Ｖの定電圧がＡＣ１００Ｖ供給電導配線６を経由して各電源トランス３、３、…に供給される。そして、電源トランス３に供給されたＡＣ１００Ｖの交流電圧は、遊技機２に適合するＡＣ２４Ｖの定格の交流電圧に降圧され、その定格の交流電圧がＡＣ２４Ｖ供給電導配線７を経由して各遊技機２、２、…に供給されるようになっている。
【０００６】
ところで、上記の遊技機用定電圧システムにおいては、遊技機２に対して各台に設置された電源トランス３から個別に電力供給がなされるため、遊技機２の消費電力が変動しても隣接する遊技機２、２相互の電気的な干渉を防止できるのが利点であるが、近年では以下のような新たな問題が指摘されている。
【０００７】
（ア）遊技機２について、通常時や大当たり時における電飾等の消費電力が増えたことに伴い、個々の遊技機２自体の電気容量が大きくなり、配線抵抗や電源トランス３による電圧変動が以前に比べ非常に大きくなっている。このため、商用電源１からの電力を交流安定化電源４で安定化して電源トランス３に供給したとしても、上記のように電源トランス３の出力電圧の変動が大きいので、遊技機２に対して安定した電力を供給することが難しくなってきている。
【０００８】
（イ）交流安定化電源４は各島の商用電源１に接続されており、また、その交流安定化電源４と電源トランス３とはＡＣ１００Ｖ供給電導配線６を介して接続されている。このため、交流安定化電源４から遊技機２までの配線距離が長く、特に、末端に配置された遊技機２−ｎまでの距離は十数メートルにも及ぶこともあり、それに加えて上記電導配線６に供給される交流安定化電源４からの出力電圧がＡＣ１００Ｖと高圧であるので、放出されるノイズが大きくなってしまう。
【０００９】
（ウ）各島に一台の交流安定化電源４を設置し、その交流安定化電源４に複数の電源トランス３−１、３−２、…、３−ｎを介して複数の遊技機２−１、２−２、…、２−ｎが接続されている。このため、例えば交流安定化電源４が故障した場合、その故障した交流安定化電源４が電力を供給している島内にあるすべての遊技機２−１〜２−ｎに対して安定化した電力を供給することができなくなり、システム全体の稼動に大きな影響を与えかねない。
【発明の開示】
【発明が解決しようとする課題】
【００１０】
本発明は、以上のような問題を解決するためになされたものであり、配線抵抗や電源トランス等による電圧変動に関係なく常に安定した電力を遊技機に供給することができるとともに、放出されるノイズも減少させることができ、さらには、交流安定化電源が故障した場合でもその影響を最小限に抑えることができる遊技機用定電圧電源システムを提供することを目的とする。
【課題を解決するための手段】
【００１１】
上記目的を達成するため、本発明は、複数台の遊技機が隣接して設置された遊技機群を対象とし、商用電源から各遊技機に対して定格電圧の電力を供給する遊技機用定電圧電源システムにおいて、上記商用電源から供給される交流電圧を上記遊技機に適合する定格の交流電圧に変圧して出力する電源トランスと、上記電源トランスの二次側に接続され、上記電源トランスから出力された交流電圧を整流して直流電圧に変換し、その直流電圧を交流電圧に変換して安定化した定電圧の電力を上記遊技機に供給する交流安定化電源と、を備え、上記電源トランスと上記交流安定化電源が、上記遊技機の一台ごとに個別独立して各遊技機の近傍に設置されていることを特徴とする。
【００１２】
また、上記の発明においては、商用電源から電源トランスの一次側に供給される入力電圧をＡＣ２００Ｖの電圧に設定してもよい。
【発明の効果】
【００１３】
上記構成から明らかなように、本発明に係る遊技機用定電圧電源システムによれば、以下のような格別の効果が得られる。
【００１４】
（Ａ）交流安定化電源は電源トランスの二次側に接続され、その交流安定化電源から遊技機に対して直接電力が供給されるので、配線抵抗や電源トランス等による電圧変動が生じても、その変動した出力電圧は交流安定化電源に入力され、安定的な定電圧の電力として出力されることになり、電圧変動に関係なく常に安定した電力を遊技機に供給することができる。
【００１５】
（Ｂ）交流安定化電源を遊技機の近傍に設置することにより、交流安定化電源から遊技機までの配線距離が短くなり、しかもその配線に供給される交流安定化電源からの出力電圧は、電源トランスで降圧された定格のＡＣ２４Ｖと低いため、従来に比べて放出されるノイズを大幅に減少させることができる。
【００１６】
（Ｃ）交流安定化電源を遊技機の各台に設置するという構成であるため、現在主流になりつつある、遊技機に個別の電源トランスを配置したシステムにおいて、電源トランスと遊技機との間に交流安定化電源を接続するだけでシステム構築が可能であり、汎用性が高い。また、遊技機に合わせて電圧調整が可能となるため、遊技機の機種に応じて最適な電圧が設定できる。さらには、交流安定化電源が故障した場合であっても、その交流安定化電源に接続された一台の遊技機に電力が供給されなくなるだけで、島内に隣接する他の遊技機は影響を受けずに済むので、故障によるシステム稼働率の低下を最小限に抑えることができる。
【００１７】
（Ｄ）システムの電源投入時において、交流安定化電源が起動するまでの時間は各々ばらつくことになり、それに伴い遊技機の起動時間も台ごとにずれるため、従来、遊技機の起動時間をずらすために設置していた遅延回路等の設備を廃止でき、システム構築に掛かるコストを削減することができる。
【００１８】
（Ｅ）商用電源から電源トランスの一次側に供給される入力電圧をＡＣ２００Ｖの電圧に設定した場合、電源トランスの一次側の配線に流れる電流が半減するので、システムの電源投入時におけるインラッシュ電流が低減され、交流安定化電源の電子回路の誤動作やノイズの発生を効果的に防止できる。
【発明を実施するための最良の形態】
【００１９】
以下、本発明の実施の形態について、添付した図面を参照しながら詳細に説明する。
【００２０】
はじめに、本発明の遊技機用定電圧電源システムの全体構成を説明する。
【００２１】
図１に示すように、本実施形態の遊技機用定電圧電源システムＳは、大型パチンコ店等において、店舗内に隣接して設置された所定台数の遊技機２０−１、２０−２、…、２０−ｎ（以下、遊技機２０で代表する）からなる遊技機群（島）２１を対象とし、各々の遊技機２０に対して定格電圧の電力を供給するものである。このシステムＳは、遊技機２０の設置台数に応じた複数の電源トランス３０−１、３０−２、…、３０−ｎ（以下、電源トランス３０で代表する）と、それと同数の交流安定化電源４０−１、４０−２、…、４０−ｎ（以下、交流安定化電源４０で代表する）とを備えて構成されている。
【００２２】
電源トランス３０と交流安定化電源４０は、遊技機２０の一台ごと個別独立に、かつ各遊技機２０の近傍（例えば、遊技機本体を収容するフレーム内の装飾板の裏側など）に設置される。
【００２３】
電源トランス３０は、商用電源１０から供給される交流電圧を遊技機２０に適合する定格ＡＣ２４Ｖの交流電圧に変圧して出力するものであり、その一次側巻線がそれぞれＡＣ１００Ｖ供給電導配線６０を介して変電室内に設置された高圧トランスの二次側巻線に接続されている。これにより、変電室内の高圧トランスにてＡＣ６６００ＶからＡＣ１００Ｖに降圧された交流電圧は、ＡＣ１００Ｖ供給電導配線６０を経由して各電源トランス３０、３０、…の一次側巻線に供給される。
【００２４】
また、電源トランス３０は、その二次側巻線がそれぞれＡＣ２４Ｖ供給電導配線７０を介して交流安定化電源４０に接続されている。商用電源１０から電源トランス３０に供給されたＡＣ１００Ｖの交流電圧は、電源トランス３０の一次側巻線と二次側巻線の巻数比により設定されたＡＣ２４Ｖの交流電圧に降圧され、そのＡＣ２４Ｖの交流電圧がＡＣ２４Ｖ供給電導配線７０を経由して各交流安定化電源４０、４０、…に供給される。
【００２５】
なお、電源トランス３０としては、本出願人が製造した超小型トロイダルトランス「ミニトラ各種」（入力電圧ＡＣ１００Ｖ、出力電圧ＡＣ２４Ｖ、出力容量２００ＶＡ、直径８６ｍｍ×高さ７５ｍｍ）を適用することができる。
【００２６】
一方、交流安定化電源４０は、それぞれＡＣ２４Ｖ供給電導配線８０を介して遊技機２０に接続されている。交流安定化電源４０に入力されたＡＣ２４Ｖの交流入力電圧は、安定化したＡＣ２４Ｖの定電圧として出力され、その交流出力電圧がＡＣ２４Ｖ供給電導配線８０を経由して各遊技機２０、２０、…に供給される。
【００２７】
すなわち、本実施形態の定電圧電源システムＳは、商用電源１０から遊技機２０への電力供給構造として、島内に設置された遊技機２０の台数と同数の電源トランス３０と交流安定化電源４０を用意し、それらを「商用電源１０→電源トランス３０→交流安定化電源４０→遊技機２０」の順で配置するとともに、電源トランス３０と交流安定化電源４０の両者が、共に一台の遊技機２０に対して一対一の関係になるように対応させて設置したことが特徴である。
【００２８】
なお、交流安定化電源４０としては、本出願人が製造した定電圧電源ユニット「マルトラＶＦＺ型」（入力電圧ＡＣ２４Ｖ、出力電圧ＡＣ２４Ｖ、定電圧維持範囲ＡＣ８５Ｖ〜ＡＣ１１０Ｖ、出力電圧精度ＡＣ２４Ｖ±１％）を適用することができる。
【００２９】
次に、交流安定化電源の構成を詳細に説明する。
【００３０】
図２に示すように、交流安定化電源４０は、前段の電源トランス３０から供給される変動的な交流電圧を入力し、安定的な定電圧の電力を出力して後段の遊技機２０に供給するためのものである。本実施形態ではブリッジ型インバータを適用しており、この交流安定化電源４０は、整流部４１と、インバータ部４２と、コントローラ部４３とを備えて大略構成されている。
【００３１】
整流部４１は、より詳細には４個のダイオードでブリッジを構成したブリッジ整流回路であり、電源トランス３０から入力された交流電圧を全波整流し、直流電圧に変換して出力する。
【００３２】
インバータ部４２は、内部に２個のＦＥＴ（電界効果型トランジスタ）を接続したスイッチング方式のＤＣ−ＡＣ変換回路であり、上記整流部４１から出力された直流電圧を交流電圧に変換し、これを波形整形して波形歪みの少ない安定した正弦波の交流電圧を出力する。
【００３３】
コントローラ部４３は、切換スイッチ４４のオン時、上記整流部４１から出力された直流電圧を入力電源として起動し、上記インバータ部４２の動作をフィードバック制御している。すなわち、電源トランス３０から上記整流部４１に入力される入力電圧は入力電圧モニタ４５で検出される一方、上記インバータ部４２から出力される出力電圧は出力電圧モニタで検出され、両電圧の検出データがコントローラ部４３に入力される。コントローラ部４３では、入力された両電圧の検出データを基準電圧（ＡＣ２４Ｖ）と比較し、その差圧に基づいて制御信号を上記インバータ部４２へ出力することにより、上記インバータ部４２から出力される出力電圧が上記基準電圧に近づくように調整される。
【００３４】
また、温度検出センサ４６で検出された温度データがコントローラ部４３に入力されることにより、熱上昇を監視してコントローラ部４３に内蔵された電子回路を正確かつ安全に動作させている。
【００３５】
なお、同図に示す交流安定化電源４０において、符号４７は平滑コンデンサであり、符号４８は平滑コンデンサ４７へ流れ込むインラッシュ電流を防止するための抵抗、符号４９は切換スイッチ４４のオフ時に平滑コンデンサ４７を放電させるための抵抗である。
【００３６】
以上の構成から明らかなように、この定電圧電源システムＳによれば、交流安定化電源４０が電源トランス３０の二次側巻線に接続されているので、交流安定化電源４０から出力されたＡＣ２４Ｖの定電圧の電力が遊技機２０に対して直接供給される。すなわち、電源トランス３０の出力電圧が定格のＡＣ２４Ｖよりも高圧や低圧に変動していても、その変動的な電圧が交流安定化電源４０に入力されると、整流部４１で全波整流して直流電圧に変換され、インバータ部４２で交流電圧に変換されて波形整形した安定的なＡＣ２４Ｖの交流電圧が出力される。したがって、電源トランス３０の出力電圧の変動が生じても、常に安定した定電圧の電力を遊技機２０に供給することができる。
【００３７】
また、交流安定化電源４０は、図１に示したように遊技機２０の近傍にＡＣ２４Ｖ供給電導配線８０を介して接続されている。これにより、交流安定化電源４０から遊技機２０までの配線距離は、従来の配線距離（図５参照）よりも短くなり、しかも上記電導配線８０に供給される交流安定化電源４０からの出力電圧はＡＣ２４Ｖと低圧であるため、従来のシステムに比べて放出されるノイズを大幅に減少させることが可能になる。
【００３８】
また、本実施形態のシステムＳでは、電源トランス３０と交流安定化電源４０を遊技機２０に一対一の関係で対応させて設置している。そのため、個々の遊技機２０に合わせて電源トランス３０と交流安定化電源４０の出力電圧を調整可能になり、遊技機２０の機種等の違いによる電気容量に応じて最適な供給電圧を設定することもできる。
【００３９】
一方、交流安定化電源４０−１〜４０−ｎのうちの一つ（例えば４０−１）が故障した場合でも、その交流安定化電源４０−１に接続された遊技機２０−１に対して電力が供給されなくなるだけであり、同じ島内に隣接する他の遊技機２０−２〜２０−ｎは何ら影響を受けずに済む。そのため、交流安定化電源４０−１の修理や交換の最中に、他のすべての遊技機２０−２〜２０−ｎの稼動を続けることができるので、機器の故障に伴うシステム稼働率の低下を最小限に抑えることができる。
【００４０】
さらには、個々の交流安定化電源４０−１〜４０−ｎの設定を変えることで、システムＳの電源投入時に、各電源が起動するまでの時間を一律ではなく、互いにばらつかせることも可能である。これにより、交流安定化電源４０に接続された遊技機２０の起動時間も台ごとにずれるので、従来、個々の遊技機２０−１〜２０−ｎの起動時間をずらすために設置していた遅延回路等の設備を廃止でき、システム構築に掛かるコストを削減することができるという利点もある。
【００４１】
以上が本発明の遊技機用定電圧電源システムの一実施形態であるが、このシステムについては、図３に示すような変形が可能である。同図に示したシステムＳ１は、上述した実施形態のシステムＳと基本的な配置構造は同じであるが、商用電源１０から電源トランス３０の一次側に供給される入力電圧の設定が異なっている。
【００４２】
すなわち、この変形例においては、変電室内の高圧トランスにてＡＣ６６００ＶからＡＣ２００Ｖに降圧され、そのＡＣ２００Ｖの交流電圧がＡＣ２００Ｖ供給電導配線９０を介して各電源トランス３０−１〜３０−ｎの一次側巻線に供給される。電源トランス３０から出力されたＡＣ２４Ｖの出力電圧は交流安定化電源４０を介して安定化され、ＡＣ２４Ｖ供給電導配線７０を経由して各遊技機２０、２０、…に供給される。
【００４３】
ここで、図３の電源トランス３０は、図１の電源トランス３０に比べ、一次側巻線と二次側巻線との巻数比を大きく設定する必要がある。図４に示すように、電源トランス３０において、入力電圧をＶ1、出力電圧をＶ2、一次側巻線の巻数をＮ1、二次側巻線の巻数をＮ2とすると、電圧Ｖと巻数Ｎとの間には「Ｖ1×Ｎ2＝Ｖ2×Ｎ1」の関係式が成り立つ。よって、図３の電源トランス３０は、一次側巻線と二次側巻線との巻数比を図１の電源トランス３０の２倍に設定すればよい。
【００４４】
このように、商用電源１０から電源トランス３０の一次側巻線に供給される入力電圧がＡＣ２００Ｖに設定されている場合には、次のような有利な効果が得られる。
【００４５】
図４に示すように、電源トランス３０において、入力電圧をＶ1、出力電圧をＶ2、入力電流をＩ1、出力電流をＩ2とすると、電圧Ｖと電流Ｉとの間には「Ｖ1×Ｉ1＝Ｖ2×Ｉ2」の関係式が成り立つ（電気エネルギー保存の法則）。ここで、図１のシステムＳと図３のシステムＳ１を比較した場合、電源トランス３０の出力側にある負荷の電気容量、つまり出力電圧Ｖ2と出力電流Ｉ2は等しいことから、入力電圧Ｖ1がＡＣ１００ＶからＡＣ２００Ｖへ２倍になると、逆に入力電流Ｉ1は１／２になることが分かる。
【００４６】
したがって、図３の変形例のように、電源トランス３０の入力電圧Ｖ1をＡＣ１００ＶからＡＣ２００Ｖに倍増させると、電源トランス３０の入力電流Ｉ1が半減するので、システムＳ１の電源投入時におけるインラッシュ電流が大幅に低減され、交流安定化電源４０内の電子回路の誤動作やノイズの発生を効果的に防止できる。
【００４７】
なお、上述した各実施形態において、電源トランス３０にトロイダルトランスを適用したが、これに替えて、他のタイプのトランスを用いてもよい。また、交流安定化電源４０にはブリッジ型インバータを適用したが、その他のタイプの安定化電源を用いることも可能である。
【図面の簡単な説明】
【００４８】
【図１】本発明に係る遊技機用定電圧電源システムの全体構成を示すブロック図。
【図２】交流安定化電源の構成を示す回路図。
【図３】遊技機用定電圧電源システムの変形例を示すブロック図。
【図４】電源トランスの特性を示す説明図。
【図５】従来の遊技機用定電圧システムの概略構成を示すブロック図。
【符号の説明】
【００４９】
Ｓ、Ｓ１  遊技機用定電圧電源システム
１０  商用電源
２０、２０−１、…、２０−ｎ  遊技機
３０、３０−１、…、３０−ｎ  電源トランス
４０、４０−１、…、４０−ｎ  交流安定化電源
４１  整流部
４２  インバータ部
４３  コントローラ部
４４  切換スイッチ
４５  入力電圧モニタ
４６  温度検出センサ
４７  平滑コンデンサ
４８  インラッシュ電流防止抵抗
４９  平滑コンデンサ放電抵抗
６０  ＡＣ１００Ｖ供給電導配線
７０  ＡＣ２４Ｖ供給電導配線
８０  ＡＣ２４Ｖ供給電導配線
９０  ＡＣ２００Ｖ供給電導配線
【図１】
2006247008.tif 000003
【図２】
2006247008.tif 000004
【図３】
2006247008.tif 000005
【図４】
2006247008.tif 000006
【図５】
2006247008.tif 000007
【手続補正書】
【提出日】平成17年8月1日(2005.8.1)
【手続補正１】
【補正対象書類名】特許請求の範囲
【補正対象項目名】全文
【補正方法】変更
【補正の内容】
【特許請求の範囲】
【請求項１】
複数台の遊技機が隣接して設置された遊技機群を対象とし、商用電源から各遊技機に対して定格電圧の電力を供給する遊技機用定電圧電源システムにおいて、
上記商用電源から供給される交流電圧を上記遊技機に適合する定格の交流電圧に変圧して出力する電源トランスと、
上記電源トランスの二次側に接続され、上記電源トランスから出力された交流電圧を整流して直流電圧に変換し、その直流電圧を交流電圧に変換して安定化した定電圧の電力を上記遊技機に供給する交流安定化電源と、
を備え、
上記電源トランスと上記交流安定化電源の両者が、共に上記遊技機の設置台数と同数であり、かつ、上記遊技機の一台ごとに個別独立して各遊技機の近傍に設置されている
ことを特徴とする遊技機用定電圧電源システム。
【請求項２】
上記商用電源から上記電源トランスの一次側に供給される入力電圧がＡＣ２００Ｖの電圧に設定されていることを特徴とする請求項１に記載の遊技機用定電圧電源システム。
【手続補正２】
【補正対象書類名】明細書
【補正対象項目名】００１１
【補正方法】変更
【補正の内容】
【００１１】
上記目的を達成するため、本発明は、複数台の遊技機が隣接して設置された遊技機群を対象とし、商用電源から各遊技機に対して定格電圧の電力を供給する遊技機用定電圧電源システムにおいて、上記商用電源から供給される交流電圧を上記遊技機に適合する定格の交流電圧に変圧して出力する電源トランスと、上記電源トランスの二次側に接続され、上記電源トランスから出力された交流電圧を整流して直流電圧に変換し、その直流電圧を交流電圧に変換して安定化した定電圧の電力を上記遊技機に供給する交流安定化電源と、を備え、上記電源トランスと上記交流安定化電源の両者が、共に上記遊技機の設置台数と同数であり、かつ、上記遊技機の一台ごとに個別独立して各遊技機の近傍に設置されていることを特徴とする。
【手続補正書】
【提出日】平成18年4月3日(2006.4.3)
【手続補正１】
【補正対象書類名】特許請求の範囲
【補正対象項目名】全文
【補正方法】変更
【補正の内容】
【特許請求の範囲】
【請求項１】
複数台の遊技機が隣接して設置された遊技機群を対象とし、商用電源から各遊技機に対して定格電圧の電力を供給する遊技機用定電圧電源システムにおいて、
上記商用電源から供給される交流電圧を上記遊技機に適合する定格の交流電圧に変圧して出力する電源トランスと、
上記電源トランスの二次側に接続され、上記電源トランスから出力された交流電圧を整流して直流電圧に変換し、その直流電圧を交流電圧に変換して安定化した定電圧の電力を上記遊技機に供給する交流安定化電源と、
を備え、
上記交流安定化電源は、
上記電源トランスの二次側に接続され、上記電源トランスから入力された交流電圧を全波整流し、直流電圧に変換して出力するブリッジ整流回路と、
上記ブリッジ整流回路に接続されたＦＥＴを含み、上記ブリッジ整流回路から出力された直流電圧を交流電圧に変換し、上記遊技機に出力するスイッチング方式のＤＣ−ＡＣ変換回路と、
上記ブリッジ整流回路に接続され、上記ブリッジ整流回路から出力された直流電圧を入力電源として起動し、上記ブリッジ整流回路に入力される入力電圧と上記ＤＣ−ＡＣ変換回路から出力される出力電圧とを上記遊技機に応じて設定された基準電圧と比較し、その差電圧に基づいて上記出力電圧が上記基準電圧に近づくように上記ＤＣ−ＡＣ変換回路に制御信号を出力しフィードバック制御する制御回路と、
から構成されたブリッジ型インバータであって、
上記電源トランスと上記交流安定化電源の両者が、共に上記遊技機の設置台数と同数であり、かつ、上記遊技機の一台ごとに個別独立して各遊技機の近傍に設置されている
ことを特徴とする遊技機用定電圧電源システム。
【請求項２】
上記商用電源から上記電源トランスの一次側に供給される入力電圧がＡＣ２００Ｖの電圧に設定されていることを特徴とする請求項１に記載の遊技機用定電圧電源システム。
【手続補正２】
【補正対象書類名】明細書
【補正対象項目名】００１１
【補正方法】変更
【補正の内容】
【００１１】
上記目的を達成するため、本発明は、複数台の遊技機が隣接して設置された遊技機群を対象とし、商用電源から各遊技機に対して定格電圧の電力を供給する遊技機用定電圧電源システムにおいて、上記商用電源から供給される交流電圧を上記遊技機に適合する定格の交流電圧に変圧して出力する電源トランスと、上記電源トランスの二次側に接続され、上記電源トランスから出力された交流電圧を整流して直流電圧に変換し、その直流電圧を交流電圧に変換して安定化した定電圧の電力を上記遊技機に供給する交流安定化電源と、を備え、上記交流安定化電源は、上記電源トランスの二次側に接続され、上記電源トランスから入力された交流電圧を全波整流し、直流電圧に変換して出力するブリッジ整流回路と、上記ブリッジ整流回路に接続されたＦＥＴを含み、上記ブリッジ整流回路から出力された直流電圧を交流電圧に変換し、上記遊技機に出力するスイッチング方式のＤＣ−ＡＣ変換回路と、上記ブリッジ整流回路に接続され、上記ブリッジ整流回路から出力された直流電圧を入力電源として起動し、上記ブリッジ整流回路に入力される入力電圧と上記ＤＣ−ＡＣ変換回路から出力される出力電圧とを上記遊技機に応じて設定された基準電圧と比較し、その差電圧に基づいて上記出力電圧が上記基準電圧に近づくように上記ＤＣ−ＡＣ変換回路に制御信号を出力しフィードバック制御する制御回路と、から構成されたブリッジ型インバータであって、上記電源トランスと上記交流安定化電源の両者が、共に上記遊技機の設置台数と同数であり、かつ、上記遊技機の一台ごとに個別独立して各遊技機の近傍に設置されていることを特徴とする。